(57)【特許請求の範囲】
【請求項１】
熱間圧延材をクレードルロール上でコイルに巻取り巻戻す巻取り巻戻し装置用のコイル内面の保加熱方法であって、
コイル外径の変化に応じて変化するコイル内面位置の移動経路に沿って、コイル端面と対向する位置にコイル内面を加熱するバーナーを複数個設け、
コイルの外径を計測し、この外径よりコイル内面の位置を演算し、この位置に対応したバーナーを燃焼させることを特徴とするコイル内面保加熱方法。
【請求項２】
熱間圧延材をクレードルロール上でコイルに巻取り巻戻す巻取り巻戻し装置用のコイル内面の保加熱装置であって、
コイル外径の変化に応じて変化するコイル内面位置の移動経路に沿って、コイル端面と対向する位置に設けられた支持体に設置された複数個のコイル内面を加熱するバーナーと、
コイルの外径を計測するコイル外形計測手段と、
このコイル外径よりコイル内面の位置を演算し、この位置に対応したバーナーを燃焼させるバーナー制御手段と、を備えたことを特徴とするコイル内面保加熱装置。
【請求項３】
前記コイル外径計測手段は、コイルの巻戻し巻取り長さに応じて回転する計測ロールと、この計測ロールの回転数に応じたパルス数を発生するパルス発生器と、このパルス数と初期コイル外径から現在のコイル外径を演算するコイル外径演算手段と、を備えることを特徴とする請求項２記載のコイル内面保加熱装置。
【請求項４】
前記コイル外径計測手段は、クレードルロールの上方に設けられコイルの外面の所定位置を計測する超音波センサと、この計測値からコイル外径を演算するコイル外径演算手段と、を備えることを特徴とする請求項２記載のコイル内面保加熱装置。
【発明の詳細な説明】
【０００１】
【発明の属する技術分野】
本発明は、熱間圧延設備においてコイル内面を保温加熱するコイル内面の保加熱方法及び装置に関する。
【０００２】
【従来の技術】
粗圧延後に仕上圧延を行なう熱間圧延設備では、粗圧延機で３０〜５０ｍｍ厚さのバーまで圧延し、次いで仕上圧延機で更に数ｍｍ厚さのストリップまで圧延する。この場合、粗圧延完了後、仕上圧延が完了するまでの時間が長いため、バーの後端が先端に比較して低温になり、均一な仕上げ加工が困難になるという問題点があった。
【０００３】
そこで、図５に示すように、クレイドルロール２でコイル１に巻取り、クレイドルロール２でコイル１を巻戻す巻取り巻戻し装置を用いて、粗圧延後のバーをコイルに巻取り、それを巻戻しながら仕上圧延を行なう方法が提案されている（特公昭５１−２６３１７号）。この方法により、バー全体の冷却を防止し、粗圧延における後端から仕上圧延するので、バーの先後端の温度差をほぼ同一にすることができる。
【０００４】
しかし、この場合でも、幅方向中央部に比較して、コイル端部は冷えやすく、そのため幅方向の温度の均一化が困難な問題があった。そこで、この問題を解決するために、コイルの端面を加熱する方法が特開平７−５１７２６号に開示され、また、本出願人による特願平１−３３２４１７号には火炎でコイル端面を加熱し、電気ヒータでマンドレルを加熱してコイル内面を加熱する方法が開示されている。
【０００５】
図６は、特開平７−５１７２６号で提案されているコイル加熱装置を示す模式図であり、クレードルロール２２上のコイル２１の両端面を複数のバーナーを備えた加熱装置２３で加熱している。なお加熱装置２３は、位置調整装置２４により、コイル幅に応じて最適な距離に移動できるようになっている。
【０００６】
図７は、特願平１−３３２４１７号で提案されているコイル端面及びコイル内面を加熱する装置を示す模式図である。コイル３１の端面はバーナー３３ａを備えた端面加熱装置３３により保温加熱され、コイル３１の内面は、電気ヒータ３５で加熱されるマンドレル３４の輻射熱により保温加熱される。なお端面加熱装置３３は、図示しない装置によって、コイル３１の幅に応じて幅方向に移動できるようになっている。
【０００７】
【発明が解決しようとする課題】
上述した特開平７−５１７２６号（６図）のコイル端面加熱装置を用いることにより、コイル端部の温度低下を防止でき、鋼板の幅方向の温度分布をほぼ均一にすることができる。しかし、かかるコイル端面加熱装置を用いても、熱放散の最も大きいコイル内面の保温加熱（以下保加熱とする）はできず、そのためコイル内面の温度が極端に低下し、バー尾端部の組成が変質し、また圧延荷重が増大するという問題点があった。
【０００８】
一方、特願平１−３３２４１７号（図７）では、コイル内面はマンドレル３４に取付けられた電気ヒータ３５により保温加熱されるが、コイル外径が変化すると、クレードルロールに対するコイル内径の位置が変化し、この中に挿入されるマンドレル３４の位置も変化させなければならない。このため電気ヒータ３４に電力を供給するケーブルもマンドレル３４の移動に対応して移動できるような柔軟な構造にする必要があり、このような部分は寿命が短く頻繁に交換しなければならない。また、電気による加熱はガスなどの燃料を用いる場合に比べコストがかかり経済性が悪い。
【０００９】
本発明は、上述の問題点に鑑みてなされたもので、ガスなどの燃料を使用して経済性がよく、コイル内面の位置変化に対応して移動する必要のないコイル内面保加熱方法及び装置を提供することを目的とする。
【００１０】
【課題を解決するための手段】
上記目的を達成するため、請求項１の発明では、熱間圧延材をクレードルロール上でコイルに巻取り巻戻す巻取り巻戻し装置用のコイル内面の保加熱方法であって、コイル外径の変化に応じて変化するコイル内面位置の移動経路に沿って、コイル端面と対向する位置にコイル内面を加熱するバーナーを複数個設け、コイルの外径を計測し、この外径よりコイル内面の位置を演算し、この位置に対応したバーナーを燃焼させる。
【００１１】
コイル端面との対向する固定位置で、コイル内面位置の移動経路に沿って、コイル内面を加熱するバーナーが複数個設けられており、コイル外径の計測値からコイル内面の移動位置を演算し、移動しているコイル内面に近いバーナーを燃焼させる。これによりコイル内面加熱装置はコイルの内面の移動に応じて移動する必要がないので、移動による装置の寿命短縮はなく、さらに、バーナーで加熱するので、電気と比べ経済的である。
【００１２】
請求項２の発明では、熱間圧延材をクレードルロール上でコイルに巻取り巻戻す巻取り巻戻し装置用のコイル内面の保加熱装置であって、コイル外径の変化に応じて変化するコイル内面位置の移動経路に沿って、コイル端面と対向する位置に設けられた支持体に設置された複数個のコイル内面を加熱するバーナーと、コイルの外径を計測するコイル外形計測手段と、このコイル外径よりクレードルロール上のコイル内面の位置を演算し、この位置に対応したバーナーを燃焼させるバーナー制御手段と、を備える。
【００１３】
コイル端面に対向する位置に設けられた支持体には、コイル内面の移動経路に沿って複数個のコイル内面を加熱するバーナーが設けられている。バーナー制御手段は、コイルの外径が決まればクレードルロール上を回転するコイルの内面の位置は幾何学的に決まるので、コイル外径計測手段で計測したコイル外径に基づき、コイル内面の位置を演算し、この位置に対応したバーナーを燃焼させてコイル内面を保温加熱する。これによりコイル内面加熱装置はコイルの内面の移動に応じて移動する必要がないので、移動による装置の寿命短縮はなく、バーナーで加熱するので、電気と比べ経済的である。
【００１４】
請求項３の発明では、前記コイル外径計測手段は、コイルの巻戻し巻取り長さに応じて回転する計測ロールと、この計測ロールの回転数に応じたパルス数を発生するパルス発生器と、このパルス数と初期コイル外径から現在のコイル外径を演算するコイル外径演算手段と、を備える。
【００１５】
初期のコイル外径と、コイルの巻戻しまたは巻取り長さが判れば、現在のコイル外径は計算できる。コイルの巻戻しまたは巻取り長さは、計測ロールの回転数に対応したパルス発生器のパルス数から計測できるので、この計測値からコイル外径を算出できる。
【００１６】
請求項４の発明によれば、前記コイル外径計測手段は、クレードルロールの上方に設けられクレードルロール上のコイルの外面の所定位置を計測する超音波センサと、この計測値からコイル外径を演算するコイル外径演算手段と、を備える。
【００１７】
クレードルロール上に乗っているコイルの外径は、クレードルロールの上方に設けた超音波センサにより、コイル外面の所定位置、例えば超音波センサの直下のコイル外面位置を計測すると、この計測位置はコイル外径と対応しており、この計測位置からコイル外径を算出できる。
【００１８】
【発明の実施の形態】
以下本発明の実施形態について、図面を参照しつつ説明する。図１は第１実施形態の構成を示す。粗圧延機で圧延されたバーはクレードルロール２上でコイル１に巻取られ、このコイル１はクレードルロール２上で回転しながら巻戻されて仕上圧延機に送られる。この巻戻されるバーを計測ロール５で挟み、バーの巻戻し長さを回転数で取出し、この回転数をパルス発生器６でパルス数として取り出す。コイル端面に対向した位置で、コイル１の内面位置がコイル外径の減少につれて降下してくる経路に沿って、コイル内面を保加熱する５個のバーナーｐ１〜ｐ５が配置されている。バーナー制御部７は、パルス発生器６からのパルス数と、予め入力された巻戻し長さ計測開始時のコイル外径（初期コイル外径）Ｄｏから、現在のコイル外径を算出する。このコイル外径が得られれば、クレードルロール２上のロール内面の位置は幾何学的に決まるので、この内面の位置に近いバーナーｐｎを２個づづ点火して保加熱する。
【００１９】
図３はコイルと、加熱装置と、コイル内面に挿入されるマンドレルとの関係を示し、図４は図３のＡ−Ａ矢視図でコイル外径の変化に応じたコイル内面の位置の変化を示す。コイル１の両端面に対向して端面加熱装置３が設けられている。この端面加熱装置３には図３、図４に示すように切り欠け部９が設けられ、コイル外径の変化に応じて移動するコイル内面にマンドレル４が挿入できるようになっている。このコイル内面の移動経路に沿って、切り欠け部９の周囲に５個のバーナーｐ１〜ｐ５が配置されている。このバーナーｐｎ（ｎ＝１〜５）は図３に示すように、火炎１０をコイル内面に吹き付けてコイル内面を加熱する。なお、端面加熱装置３は、図示しない装置により、コイル幅の変化に応じてコイル幅方向へ移動可能である。
【００２０】
図４において、コイル１は２個のクレードルロール２上で回転しながら巻戻し、または巻取りされる。支持ロール１１はコイル１の倒れを防止し、コイル外径の変化に応じて破線で示すように移動して支持する。コイル外径Ｄ１のコイル内径はｄ１であり、コイル外径Ｄ２のコイル内径はｄ２、コイル外径Ｄ３のコイル内径はｄ３である。なおｄ１〜ｄ３は同じ大きさで変化しない。コイル外径が変化するに従い、コイル内径ｄ１〜ｄ３で表されるコイル内面のクレードルロール２からの位置は変化し、コイル外径が決まればコイル内面の位置は幾何学的に決定される。なお、ａ−ｂ−ｃはコイル内面に挿入されるマンドレル４の軌跡を示す。
【００２１】
【表１】
0003620686.tif 000002
【００２２】
表１はコイル外径に応じて点火するバーナーｐｎの一例を示す。コイル外径が２０００ｍｍから１８００ｍｍを越える範囲ではバーナーｐ１とｐ２が点火する。１８００ｍｍから１６００ｍｍを越える範囲では引き続きバーナーｐ１とｐ２が点火する。１６００ｍｍから１４００ｍｍを越える範囲も引き続きバーナーｐ１とｐ２が点火する。１４００ｍｍから１２００ｍｍを越える範囲になるとバーナーｐ３とｐ４が点火する。１２００ｍｍから１０００ｍｍを越える範囲では引き続きバーナーｐ３とｐ４が点火する。１０００ｍｍおよび１０００ｍｍ未満の範囲ではバーナーｐ４とｐ５が点火する。なお、点火しないバーナーｐｎは全て加熱動作を停止している。このようにコイル外径に応じてバーナーを２個づつ段階的に切換てゆく。
【００２３】
次に第２実施形態を説明する。図２は第２実施形態の構成を示す。本実施形態は、コイル外径を計測するのに、第１実施形態が計測ロール５とパルス発生器６を用いるのに対して、超音波センサ８を用いる点が相違し、他は同一である。超音波センサ８は超音波をコイル１に発信し、その反射波が帰ってくる時間から、超音波センサ８とコイル１の反射位置との距離を計測する。超音波センサ８は、図２、図４に示すように、コイル外形のほぼ一番高い位置の直上になるように配置している。この一番高い位置はコイル外径の変化により変化するので、平均的位置とする。バーナー制御部７は、コイル外面の計測位置から超音波センサ８までの距離とコイル外径との関係を表すテーブルを記憶しており、計測距離を入力するとこのテーブルからコイル外径を読み出し、このコイル外径に応じたコイル内面の位置を算出して、現在のコイル内面に近い２個のバーナーｐｎを点火して、コイル内面を保加熱する。なお、音波の伝達速度は温度により変化するので距離算出の際は温度補正を行なう。
【００２４】
【発明の効果】
以上述べたように、本発明によれば、コイル内面の温度低下を防止でき、コイル内面を加熱するバーナーをコイル幅が一定であれば移動しない端面加熱装置などの準固定部分に装備することにより、構造が簡素化され、コスト、保守性が向上する。また高温雰囲気での可動部分がないので高温対策が容易となる。さらに、加熱源にガスなどの燃料を使用するので、経済性がよく、バーナーからの高温燃焼ガスをコイル内面の保加熱に有効に利用できる。
【図面の簡単な説明】
【図１】本発明の第１実施形態の構成図である。
【図２】本発明の第２実施形態の構成図である。
【図３】コイル内面加熱方法を説明する図である。
【図４】コイル外径の変化とコイル内面の移動を説明する図である。
【図５】巻取り巻戻し装置を用いる圧延方法を説明する図である。
【図６】従来のコイル端面加熱方法を示す図である。
【図７】従来のコイル端面とコイル内面を加熱する方法を説明する図である。
【符号の説明】
１  コイル
２  クレードルロール
３  端面加熱装置
４  マンドレル
５  計測ロール
６  パルス発生器
７  バーナー制御部
８  超音波センサ
９  切り欠き部
１０  火炎
１１  支持ロール
【図１】
0003620686.tif 000003
【図２】
0003620686.tif 000004
【図３】
0003620686.tif 000005
【図４】
0003620686.tif 000006
【図５】
0003620686.tif 000007
【図６】
0003620686.tif 000008
【図７】
0003620686.tif 000009